(57)【特許請求の範囲】
【請求項１】
基台上にホース巻取ドラムを手操作により回転可能な状態で配設すると共に、固定ローラと可動ローラから成り、ホース繰り出し時に前記可動ローラが前記固定ローラから逃げ動作を行っている下記（Ａ）又は（Ｂ）のいずれかの構成を有するホース絞り機構を備え、前記ホースの常態が偏平なフラットホースであることを特徴とするホース巻取装置。
（ホース絞り機構の構成）
（Ａ）ホース絞り機構が、基台と略平行に配設されている軸に固定されている固定ローラと、軸の基端が基台に立設された支持部材に回動自在に固定されており、前記固定ローラと対向する方向に回動可能な可動ローラとで構成されている。
（Ｂ）ホース絞り機構が、基台上に立設された一対の支持部材の下方位置に配設された固定ローラと、該支持部材の長孔に軸両端が係合されており、該軸は付勢手段により常に上方向に付勢されている可動ローラと、前記可動ローラの軸に取り付けられた足載せ台とから構成されている。
【発明の詳細な説明】
【０００１】
【発明の属する技術分野】
本発明は、農業その他の分野で利用される送水用ホースの巻取装置に関する。
【０００２】
【従来の技術】
送水用ホースの巻取装置は、家庭用で利用されるものは、ホースドラムとして知られている。
【０００３】
ホースを偏平帯状に変形して巻き取るホース巻き機が実開平２−１０８９８４号公報に記載されている。
【０００４】
ホース内に残留している水を排出させる機構を備えた帯状ホースの巻取装置が特開２０００−１９８６２８号公報に記載されている。
【０００５】
対ローラによる絞りを行った後に巻き取る潅水チューブの巻取装置が特開平９−１７２８８８号公報に記載されている。
【０００６】
【発明が解決しようとする課題】
家庭用で広く利用されているホースドラムは、塩ビなどのプラスチックス製ホースをドラムに巻き取るだけの構成であり、巻取時にホース自体が断面形状の点でほとんど変形しないので、長尺のホースを巻き取ろうとすると、巻取径が非常に大きなものとなり、取り扱いが不便となる。そこで長尺のホースでは、常態が偏平であるフラットホースを利用することが考えられる。このようなフラットホースの場合、残留している水を排出しなければならないが、単なる対ローラに通すだけの構成では、残留水を完全に排出することができず、また、ホースの繰り出し時にはホース絞り機構が邪魔になり、素早い繰り出しが困難で、作業能率に支障をきたすことがある。
【０００７】
本発明は、ホース絞りが十分に行うことができ、しかもホース繰り出しを容易に行うことが可能であるホース巻取装置を明らかにするを課題とする。
【０００８】
【課題を解決するための手段】
本発明に係るホース巻取装置は、基台上にホース巻取ドラムを手操作により回転可能な状態で配設すると共に、固定ローラと可動ローラから成り、ホース繰り出し時に前記可動ローラが前記固定ローラから逃げ動作を行っている下記（Ａ）又は（Ｂ）のいずれかの構成を有するホース絞り機構を備え、前記ホースの常態が偏平なフラットホースであることを特徴とする。
（ホース絞り機構の構成）
（Ａ）ホース絞り機構が、基台と略平行に配設されている軸に固定されている固定ローラと、軸の基端が基台に立設された支持部材に回動自在に固定されており、前記固定ローラと対向する方向に回動可能な可動ローラとで構成されている。
（Ｂ）ホース絞り機構が、基台上に立設された一対の支持部材の下方位置に配設された固定ローラと、該支持部材の長孔に軸両端が係合されており、該軸は付勢手段により常に上方向に付勢されている可動ローラと、前記可動ローラの軸に取り付けられた足載せ台とから構成されている。
【０００９】
【発明の実施の形態】
図１に示す実施態様を説明する。ホース巻取ドラム１０は、基台２０に載置されている支持部材２１の軸受に軸支され、ハンドル２２の操作で回転可能な状態で用意されている。
【００１０】
ホース絞り機構３０は、基台２０の上面に配設されている固定ローラ３１と、この固定ローラ３１に近接して配置されており、軸の一端側が回動自在に固定されている可動ローラ３２とで構成されている。可動ローラ３２は、図示しないバネなどによって、通常の状態では図示の如くにホース４０の径路から逃げ動作を行っており、ホース巻き取りに際しては、矢符Ａ方向に、固定ローラ３１に対向する位置まで倒し、この状態は、可動ローラ３２の開放端側の軸延長部３３を足で押さえることで維持させる。そして、足による押さえの強さを調節することで、ローラ圧を適宜に変えることができる。或いは、軸延長部３３に止め金具などを用意しておいて、固定ローラ３１の側に固定する態様を採用することができる。このような態様の場合、止め金具に関連してバネなどを配設することにより、足による付勢を解除した常態でも、固定ローラ３１と可動ローラ３２とを接合方向に付勢した状態を維持させることが可能である。
【００１１】
ホース４０は、巻取時には仮想線で示す経路で巻き取られることになるが、繰り出し時には、可動ローラ３２が逃げ動作を行っているので、ホース絞り機構による制約なしに速やかに繰り出しが可能である。
【００１２】
尚、ハンドル２２と、可動ローラ３２とを図面上手前側に配置することにより左利き用の巻取装置とすることができる。この場合、ハンドル２２を着脱自在に構成し、ホース巻取ドラム１０の軸のどちらの側に対してもハンドル２２を任意に取り付けることができるように設定し、また、可動ローラ３２も付け替えが任意にできるよう設定しておくのが好ましい。可動ローラ３２の付け替えのためには、例えば、可動ローラ３２の軸の基端をボルトナットにより固定する方式とし支持部材３４を予め２個所に用意しておく。
【００１３】
次に、図２に示す実施態様を説明する。この態様の特徴は、ホース絞り機構３０が、基台２０の上に配設された一対の支持部材３５の下方側に固定ローラ３１を配設し、支持部材３５に用意した長孔に、バネ或いはゴムバンド３６などにより上方向に付勢した状態で、可動ローラ３２の軸を係合させると共に、可動ローラ３２の軸には、足載せ台３７を配設する。足載せ台３７の上に足を載せて踏み込めば、可動ローラ３２は長孔に沿って下降し、固定ローラ３１に近接することとなり、仮想線で示す経路にあるホースを絞り込むことができ、足載せ台３７から足を外せば、可動ローラ３２は、バネ或いはゴムバンドなどの付勢手段３６により上方に復帰する。従って、ホースの繰り出し時には、ホースは上方に逃げ動作を行っている可動ローラ３２の下端に接する位置まで移動することができ、軽やかな繰り出しが可能となる。尚、付勢手段３６に代え引張手段を用いてもよい。
【００１４】
図１に示した態様と同様に、ハンドル２２をホース巻取ドラム１０のどちらの側にも任意に付け替え可能に設定することも好ましい。
【００１５】
本発明で利用されるホースは、常態が偏平であるフラットホースであれば何れでも利用でき、例えば、クラレプラスチックス株式会社製の商品名「クラレダクトホース・ネオアルコン・ネオデリコン」などが利用できる。
【００１６】
【発明の効果】
本発明に係るホース巻取装置によれば、ホース巻き取りに際しては、可動ローラを足による踏み込み、或いは止め金具により固定するだけで、固定ローラと協働させることができ、ホース内に残存している水を排出しながら、ホースを、それが常態である偏平状態に復帰させて巻き取ることができ、また、ホース繰り出しの際には、可動ローラが逃げ動作を行っているから、ホースを巻取時の径路とは異なった経路で軽やかに繰り出しが可能となり、頭記した課題が解決される。
【図面の簡単な説明】
【図１】本発明の第１の実施態様を示す斜視図
【図２】本発明の第２の実施態様を示す斜視図
【符号の説明】
１０−ホース巻取ドラム
２０−基台
２１−支持部材
２２−ハンドル
３０−ホース絞り機構
３１−固定ローラ
３２−可動ローラ
３３−軸延長部
３４−支持部材
３５−支持部材
３６−バネ或いはゴムバンド等の付勢手段又は引張手段
３７−足載せ台
【図１】
0003776761.tif 000002
【図２】
0003776761.tif 000003